(57)【要約】【課題】  ユーザが効率良く運転操作を行える運転操作装置を提供する。【解決手段】  本発明に係る運転操作装置１は、ユーザが複数の操作画面を利用して生産機器６の運転操作を行う運転操作装置である。そして、少なくともユーザ名によって区分される運転操作区分を始動時において設定するための入力部３と、操作画面に関する操作画面情報を運転操作区分ごとに記憶する記憶部４と、始動時に設定された運転操作区分の操作画面情報に基づいて、複数の操作画面の中から初期画面となる画面を選択する演算制御部５と、演算制御部５で選択された画面を表示する表示部２とを備えている。【選択図】図１
2009271771.tif 000002
【特許請求の範囲】
【請求項１】
ユーザが複数の操作画面を利用して生産機器の運転操作を行う運転操作装置であって、
少なくともユーザ名によって区分される運転操作区分を始動時において設定するための入力部と、
前記操作画面に関する操作画面情報を前記運転操作区分ごとに記憶する記憶部と、
始動時に設定された前記運転操作区分の前記操作画面情報に基づいて、前記複数の操作画面の中から初期画面となる画面を選択する演算制御部と、
前記演算制御部で選択された画面を表示する表示部とを備えた、運転操作装置。
【請求項２】
前記演算制御部は、前記各操作画面の利用頻度を前記運転操作区分ごとに算出し、
前記操作画面情報には、前記各操作画面の利用頻度に関する情報が含まれており、
前記演算制御部は、前記利用頻度の高い前記操作画面を初期画面として選択する、
請求項１に記載の運転操作装置。
【請求項３】
前記各操作画面の表示内容は前記運転操作区分ごとに変更することが可能であって、
前記操作画面情報には、最後に変更された前記表示内容に関する情報が含まれており、
一旦表示内容が変更された前記操作画面は、前記最後に変更された前記表示内容に関する情報に基づいて表示される、
請求項１又は２に記載の運転操作装置。
【請求項４】
前記運転操作区分は、少なくともユーザ名と生産品種名によって区分される、請求項１乃至３のうちいずれか一の項に記載の運転操作装置。
【請求項５】
前記ユーザ名ごとにアクセスレベルが設定されており、前記アクセスレベルによって前記表示部に表示できる前記操作画面の種類及び内容が異なる、請求項４に記載の運転操作装置。
【請求項６】
前記運転操作区分を設定する際、過去に設定された前記生産品種名の名称の一覧が前記表示部に表示され、前記一覧の中から一の前記名称が選択されることにより、選択された前記名称が前記生産品種名として設定される、請求項４又は５に記載の運転操作装置。
【発明の詳細な説明】
【技術分野】
【０００１】
本発明は、生産機器の運転操作を行う運転操作装置に関する。
【背景技術】
【０００２】
製品の生産を行う生産機器は、その生産機器に組込まれているか、又は、その生産機器から独立して設けられた運転操作装置によって運転操作が行われる（例えば、特許文献１参照）。特に、製品の重量を計量する計量機器などの汎用性の高い生産機器に用いる運転操作装置には、多くの操作画面がプログラムされており、ユーザはこれらの操作画面の中から必要な操作画面を選択し、必要により操作画面を切り替えながら運転操作を行う。また、汎用性の高い生産機器では、様々な生産品種を対象とするとともに、様々なユーザが運転操作を行うことから、操作画面の表示を比較的自由に変更（カスタマイズ）できる場合が多い。
【特許文献１】特開２００７−１９６１９４号公報
【発明の開示】
【発明が解決しようとする課題】
【０００３】
同じユーザが、同じ生産品種を対象として運転操作装置を操作する場合、表示される操作画面、操作画面の表示内容、そして、操作画面が表示される順番は同じであることが多い。ところが、上記のように、操作画面の設定変更が比較的自由な運転操作装置は、選択したり、入力したり、確認したりするための操作画面が多く、実質的に不要な操作画面をいくつか経由しなければ、必要な操作画面にたどり着かない場合がある。
【０００４】
本発明は、上記課題を解決するためになされたもので、ユーザが効率良く運転操作を行える運転操作装置を提供することを目的とする。
【課題を解決するための手段】
【０００５】
上記課題を解決するため、本発明に係る運転操作装置は、ユーザが複数の操作画面を利用して生産機器の運転操作を行う運転操作装置であって、少なくともユーザ名によって区分される運転操作区分を始動時において設定するための入力部と、前記操作画面に関する操作画面情報を前記運転操作区分ごとに記憶する記憶部と、始動時に設定された前記運転操作区分の前記操作画面情報に基づいて、前記複数の操作画面の中から初期画面となる画面を選択する演算制御部と、前記演算制御部で選択された画面を表示する表示部とを備えている。
【０００６】
かかる構成によれば、操作画面に関する情報に基づいて、初期画面となる画面が選択されるため、実質的に不要な画面の表示が抑えられ、ユーザは効率の良い運転操作を行うことができる。
【０００７】
また、上記運転操作装置において、前記演算制御部は、前記各操作画面の利用頻度を前記運転操作区分ごとに算出し、前記操作画面情報には、前記各操作画面の利用頻度に関する情報が含まれており、前記演算制御部は、前記利用頻度の高い前記操作画面を初期画面として選択するようにしてもよい。
【０００８】
かかる構成によれば、使用頻度の高い操作画面が初期画面となるため、そのユーザにとって使用する可能性の高い画面がはじめから表示される。
【０００９】
また、上記運転操作装置において、前記各操作画面の表示内容は前記運転操作区分ごとに変更することが可能であって、前記操作画面情報には、最後に変更された前記表示内容に関する情報が含まれており、一旦表示内容が変更された前記操作画面は、前記最後に変更された前記表示内容に関する情報に基づいて表示されるようにしてもよい。
【００１０】
かかる構成によれば、運転操作区分が同じである場合、改めて画面の変更設定を行うことなく運転操作を行うことができる。
【００１１】
また、上記運転操作装置において、前記運転操作区分は、少なくともユーザ名と生産品種名とによって区分されるようにしてもよい。かかる構成によれば、ユーザ（ユーザ名）が同じでも生産品種名が変ると操作画面に関する情報が変ることになるため、ユーザが運転操作するにあたってより適切な画面を表示することができる。
【００１２】
また、上記運転操作装置において、前記ユーザ名ごとにアクセスレベルが設定されており、前記アクセスレベルによって前記表示部に表示できる前記操作画面の種類及び内容が異なるようにしてもよい。かかる構成によれば、ユーザによって操作画面の画面数や内容が制限されるため、運転操作を単純化でき、また、重要な設定内容を誤って変更されてしまうのを防ぐことができる。
【００１３】
始動時において、前記運転操作区分を設定する際、過去に設定された前記生産品種名の名称の一覧が前記表示部に表示され、前記一覧の中から一の前記名称が選択されることにより、選択された前記名称が前記生産品種名として設定されるようにしてもよい。かかる構成によれば、ユーザの運転操作をより単純化することができる。
【発明の効果】
【００１４】
本発明によれば、実質的に不要な操作画面を回避して、必要な操作画面が表示されるため、ユーザが効率良く運転操作を行える運転操作装置を提供することができる。
【発明を実施するための最良の形態】
【００１５】
以下、本発明に係る実施形態について図を参照して説明する。以下では、全ての図面を通じて同一又は相当する要素には同じ符号を付して、その重複する説明を省略する。
【００１６】
（実施の形態）
まず、図１を参照して、本実施形態に係る運転操作装置１の構成について説明する。図１は、本実施形態に係る運転操作装置１のブロック図である。図１に示すように、本実施形態に係る運転操作装置１は、表示部２と、入力部３と、記憶部４と、演算制御部５と、から主に構成されている。また、本実施形態に係る運転操作装置１は、生産機器である計量機器本体（特に組合せ秤本体）６の運転操作を行う運転操作装置とする。運転操作装置１は、計量機器本体１と一体であっても良いし、独立していても良い。なお、運転操作装置１は、複数のユーザが使用するものとし、生産対象となる生産品種も複数あるものとする。
【００１７】
表示部２は、後述するログイン画面（図３参照）、生産品種リスト画面（図４参照）、及び操作画面（図５〜図８参照）等の画面を表示する機能を有している。表示部２は、演算制御部５から送信される画像表示信号に基づいて画面を表示する。なお、本実施形態に係る運転操作装置１では、タッチスクリーンを採用しており、表示部２は後述の入力部３と一体になっている。
【００１８】
入力部３は、ユーザ名、生産品種名、及び運転操作に必要なパラメータ等を入力する機能を有している。入力部３はユーザによって操作され、ユーザの操作内容を信号データに変換して演算制御部５に送り込むことができる。演算制御部５に送られた信号データは、場合によっては、記憶部４に送られて蓄積される。なお、上述したように、本実施形態に係る運転操作装置１ではタッチスクリーンを採用しているため、ユーザは表示部２に表示された画面を見ながら、入力部３を兼ねるタッチスクリーンに触れて入力操作を行うことになる。
【００１９】
記憶部４は、コンピュータの内部メモリからなり、データを蓄積する機能を有する。本実施形態に係る記憶部４には、操作画面に関する操作画面情報が運転操作区分ごとに記憶されている。ここでいう「運転操作区分」とは運転操作のカテゴリーを表わすもので、本実施形態ではユーザ名と生産品種名とによって区分されている（構成されている）。そのため、ユーザ名と生産品種名のうちいずれかが異なれば、運転操作区分が異なることになる。本実施形態では、運転操作区分ごとにフォルダが形成される。具体的には、ユーザ名のフォルダがあらかじめ形成されており、そのユーザ名のフォルダの中に生産品種名のフォルダが形成される。つまり、ある生産品種名のフォルダが形成されていれば、過去にその生産品種名で運転が行われていたことがわかる。また、操作画面に関する操作画面情報は各フォルダ内に形成され、保存さている。この操作画面情報には、少なくとも各操作画面の使用頻度（表示回数）、及び、各操作画面の最後に設定された表示内容についての情報が含まれている。
【００２０】
演算制御部５は、ＣＰＵ等からなり、運転操作装置１全体のみならず計量機器本体６を制御する機能を有している。また、これに加え、演算制御部５は、各操作画面の使用頻度を算出する機能を有する。さらに、演算制御部５は、各操作画面の使用頻度についての情報を含む操作画面情報に基づいて、複数ある操作画面の中から初期画面として適切な操作画面を選択する機能も有している。これらの機能の詳細については後述する。
【００２１】
次に、図２〜図９を参照して、本実施形態に係る運転操作装置の作動及び操作方法について説明する。以下では、はじめに新規の生産品種の場合（運転操作するユーザが過去にその生産品種について運転操作したことがない場合）に説明し、その後、従来の生産品種の場合（運転操作するユーザが過去にその生産品種について運転操作したことがある場合）について説明する。
【００２２】
図２は、本実施形態に係る運転操作装置１のフローチャートであって、新規の生産品種の場合と従来の生産品種の場合のいずれをも含んでいる。なお、図２のフローチャートに示す作動は、演算制御部５の制御によって遂行される。
【００２３】
まず、演算制御部５は、表示部２にログイン画面を表示させる（ステップＳ１）。図３は、ログイン画面７を示した図である。図３に示すように、ログイン画面７には、ユーザ名とパスワードのそれぞれを入力する欄８、９が設けられている。ユーザは、これらの欄８、９にユーザ名とパスワードを入力する。運転操作装置１を使用するユーザのユーザ名は、事前に登録されており、ログイン画面７の右側にユーザ名の一覧が表示されたリスト欄１０が設けられている。なお、ユーザ名の登録の際には、ユーザ名ごとにアクセスレベル１〜３のいずれかが設定される。
【００２４】
ユーザ名とパスワードの入力は入力部（タッチスクリーン）３によって行われる（図１参照）。このうちユーザは、図３に示すリスト欄１０に表示された一覧の中から自分のユーザ名にあたる名前等に触れることにより、その名前等がユーザ名として選択される。ユーザは、必要により、スクロールボタン１１、１２に触れて、リスト欄１０に表示されたユーザ名の一覧をスクロールすることもできる。本実施形態では、例えば、ユーザ名として「フクダ」を選択する。なお、パスワードは、パスワードの入力欄９に触れると入力キーが表示部に表示されるので（図示せず）、この入力キーを用いて入力する。
【００２５】
次に、演算制御部５は、ユーザ名とパスワードの入力を待機する（ステップＳ２）。そして、図３のログイン画面７で、ユーザが「ＯＫ」ボタン１３に触れると、演算制御部５はユーザ名とパスワードを認識し、入力されたパスワードがユーザ名ごとにあらかじめ登録されているパスワードと一致することを確認する（ステップＳ３）。なお、本実施形態では、ユーザがパスワードを入力し、これを演算制御部５が認識しているが、必ずしもパスワードを入力するような構成にしなくても良い。また、パスワードに代えて、ＩＤ番号、静脈確認システムなどパスワード以外の本人確認手段を用いても良い。
【００２６】
次に、演算制御部５は、表示部２に生産品種リスト画面を表示させ（ステップＳ４）、生産品種名の入力を待機する（ステップＳ５）。図４は、生産品種リスト画面１４を示した図である。生産品種リスト画面１４にはリスト欄１５が設けられており、このリスト欄１５にはログインしたユーザが過去に設定した生産品種名が一覧として表示され、生産品種名はログインした日時順に並べられている。設定したい生産品種名がリスト欄１５に表示された一覧にある場合は、ユーザはその生産品種名をタッチスクリーンに触れて選択する。一方、設定したい生産品種名が生産品種名の一覧にない場合であっても、ユーザは直接、入力欄１６に入力することができる。今回は、新規の生産品種を対象としているため、ユーザは生産品種名の入力欄１６に直接入力することになる。入力方法は、パスワードを入力した場合と同様、入力欄１６に触れると入力キーが現われるのでその入力キーから入力する。本実施形態では、例えば、生産品種名として「ビスケット１」と入力する。
【００２７】
次に、図４の画面で、ユーザが「ＯＫ」ボタン１７に触れると、演算制御部５は生産品種名を認識する（ステップＳ６）。その後、認識した生産品種が、ログインしているユーザ名の下で運転操作が行われた生産品種か否か、つまり、新規の生産品種か否かを判断する（ステップＳ７）。ここでは、新規の生産品種を対象としているため、演算制御部５は、新規の生産品種であると判断する（ステップＳ７でＹＥＳ）。このとき、記憶部４には、ユーザ名のファイルの中に、新たな生産品種名のファイルが形成される。具体的には、「フクダ」という名称のファイルの中に、「ビスケット１」という名称のファイルが、記憶部４に形成される。このステップＳ７までで、ユーザ名と生産品種名からなる運転操作区分が設定されたことになる。
【００２８】
次に、演算制御部５は、表示部２に初期画面を表示させる（ステップＳ８）。具体的には、演算制御部５は、表示部２にメインメニュー画面を表示させる。なお、本実施形態において「初期画面」とは、運転区分設定後に最初に表示される操作画面のことをいう。図５〜図７は、メインメニュー画面１８Ａ〜１８Ｃを示した図である。図５〜図７に示すメインメニュー画面１８Ａ〜１８Ｃは、いずれもメインメニュー画面であるが、これらのうちいずれの画面が表示されるかは、ユーザ名のアクセスレベルによる。上述したように、各ユーザ名はアクセスレベル１〜３のいずれかに分類されている。このうち、アクセスレベル１に分類されたユーザ名でログインしたユーザは操作できる内容が最も制限されており、アクセスレベル３に分類されたユーザ名でログインしたユーザは全ての操作が可能である。アクセスレベル１に分類されたユーザ名でログインした場合は図５に示す画面１８Ａ、アクセスレベル２に分類されたユーザ名でログインした場合は図６に示す画面１８Ｂ、アクセスレベル３に分類されたユーザ名でログインした場合は図７に示す画面１８Ｃがメインメニュー画面として表示される。例えば、今回ログインしたユーザ名「フクダ」がアクセスレベル１に分類されている場合は、メインメニュー画面として図５の画面１８Ａが表示部２に表示されることになる。
【００２９】
図５に示すように、アクセスレベル１のメインメニュー画面１Ａには、「品種選択」、「自動運転」、「手動運転」、「全排出」、及び「校正」の名称が付された５つのボタン１９〜２３が表示されている。これらボタン１９〜２３に付された名称は、ログインしたユーザがアクセス可能な操作画面の名称を示している。また、図６に示すように、アクセスレベル２のメインメニュー画面１８Ｂには、アクセスレベル１のメインメニュー画面１８Ａに表示されたボタンに加え、「品種設定」、「日付／時間＆印字設定」「トラブル対策」の名称が付されたボタン２４〜２６が表示され、さらに、図７に示すように、アクセスレベル３のメインメニュー画面１８Ｃには、これらの表示に加え、「システム設定」、「秤初期設定」の名称が付されたボタン２７、２８が表示されている。このように、アクセスレベルが上がるにつれて、表示可能な操作画面の種類が増えることになる。
【００３０】
次に、演算制御部５は、操作画面の選択を待機する（ステップＳ９）。このとき、ユーザは、メインメニュー画面１８Ａ〜１８Ｃに表示されたボタンの中から次に表示させたい操作画面の名称が付されたものをタッチスクリーン（入力部３）によって選択することができる。なお、本実施形態では、ユーザが「自動運転」ボタン２０を選択したものとする。
【００３１】
次に、演算制御部５は、表示部２に第２操作画面を表示させる（ステップＳ１０）。なお、本実施形態において、「第２操作画面」とは初期画面の次に表示される操作画面である。具体的には、図５で選択した「自動運転」ボタンに対応する自動運転画面を表示部２に表示させる。図８は、自動運転画面２９を表示した図である。図８に示す画面内に表示されたボタンや数値の意味や機能についての詳細な説明は省略する。ユーザは、図８に示す自動運転画面２９で必要な設定を行うことによって、計量機器本体６の運転操作が自動で行なわれる。また、図８に示す円状の図形や数値の表示位置や大きさは、ユーザが独自に変更（カスタマイズ）したものである。この表示内容についての情報は、運転操作区分ごとに記憶される。本実施形態では、表示内容についての情報は、上述した「ビスケット１」のファイル内にある操作画面情報の一部（最後に設定された表示内容に関する情報）として記憶される。なお、自動運転画面２９についての変更（カスタマイズ）は、その後行われなかったものとする。
【００３２】
次に、演算制御部５は、操作画面の表示回数をカウントする（ステップＳ１１）。記憶部４における「フクダ」という名称のファイル内の「ビスケット１」という名称のファイルの中に操作画面情報があることは上述したとおりである。演算制御部５は、その操作画面情報の一部として記憶されている自動運転画面２９の表示回数データに１を加える。つまり、操作画面の表示回数は、運転操作区分ごとにカウントされる。
【００３３】
その後、ユーザは計量機器本体６の運転操作を行ってそのまま終了するか（ステップＳ１１、Ｓ１３でＮＯ、Ｓ１４でＹＥＳの順で進んだ場合）、または、他の操作画面に切り替えて他の運転操作を行う（ステップＳ１１、Ｓ１２でＹＥＳ、Ｓ７の順で進んだ場合）。なお、図８の右下にある「復帰」ボタン３０を押せば、図５に示すメインメニュー画面１８Ａに戻るため、このメインメニュー画面１８Ａからさらに他の操作画面に対応するボタン１９〜１３を選択すれば、運転操作を切り替えることができる。また、操作画面を切り替えた場合には、上記の場合と同様、演算制御部５が切り替えられた操作画面の表示回数をカウントする（ステップＳ１１）。そして、最終的には、ユーザによる終了操作（ステップＳ１４でＹＥＳ）で一連の作動は終了する。以上が、新規の生産品種の場合における、運転操作装置の作動及び操作方法である。
【００３４】
次に、従来の生産品種の場合における、運転操作装置１の作動及び操作方法について上記と同様に図２を参照して説明する。ここでは、過去に生産品種名「ビスケット１」を対象として運転操作を行ったユーザが、再度「ビスケット１」を対象として運転操作を行うものとする。
【００３５】
まず、演算制御部５は、表示部２にログイン画面７を表示させ、ユーザ名を認識する（ステップＳ１〜Ｓ３）。これらのステップＳ１〜Ｓ３は、上記で説明したステップＳ１〜Ｓ３と同様である。なお、演算制御部５が認識したユーザ名は先の場合と同様に「フクダ」とする。
【００３６】
次に、演算制御部５は、表示部２に生産品種リスト画面を表示させ（ステップＳ３）、生産品種の入力を待機する（ステップＳ５）。図９は、生産品種リスト画面１４Ａを示した図である。今回は、過去に「フクダ」のユーザ名で「ビスケット１」を対象として運転操作が行われていることから、記憶部４には「ビスケット１」の生産品種名が記憶されている。そのため、図９のリスト欄１５に表示された生産品種の一覧には、最後の行に「ビスケット１」が含まれている。そこで、ユーザは、タッチスクリーン（入力部３）に触れて「ビスケット１」を選択する。
【００３７】
次に、演算制御部５は、生産品種名を認識する（ステップＳ６）。図９の画面で、ユーザが「ＯＫ」ボタン１７に触れると、演算制御部５は生産品種名を認識する。そして、認識した生産品種名が新規の生産品種か否かを判断する（ステップＳ７）。ここでは、従来の生産品種を対象としているため、演算制御部５は、新規の生産品種ではないと判断する（ステップＳ７でＮＯ）。なお、上記で説明した場合とは異なり、記憶部４において「フクダ」のファイル内に「ビスケット１」のファイルが既に形成されているため、新たなファイルが形成されることはない。このステップＳ７までで、ユーザ名と生産品種名からなる運転操作区分が設定されたことになる。
【００３８】
次に、演算制御部５は、使用頻度の高い操作画面を選択する（ステップＳ２１）。本実施形態では、演算制御部５は、メインメニュー画面１８Ａ〜１８Ｃを除く操作画面のうち、最も表示回数の多い操作画面を選択する。上述したように、各操作画面の表示回数を含む操作画面情報が記憶部に記憶されているため、この操作画面情報に基づいて、演算制御部は最も表示回数の多い操作画面を選択する。ここでは、上記の「ビスケット１」のファイル内にある操作画面情報に、最も表示回数の多い操作画面として自動運転画面２９（図８参照）が記憶されており、演算制御部５はこの操作画面情報に基づいて自動運転画面２９を選択したとする。
【００３９】
次に、演算制御部５は、表示部２に初期画面を表示させる（ステップＳ２２）。具体的には、ステップＳ２１で選択された操作画面を表示部２に表示させる。新規の生産品種の場合、従来の生産品種名の場合とは異なり、図５〜７に示すメインメニュー画面１８Ａ〜１８Ｃがはじめに表示されないため、ステップＳ２１で選択された操作画面が初期画面となる。本実施形態では、ステップＳ２１で自動運転画面２９が選択されているため、初期画面として表示部２には図８に示す自動運転画面２９が表示される。なお、各操作画面は、最後に変更された表示内容に関する情報に基づいて表示される。上述したように、図８に示す自動運転画面２９の表示内容が最新の設定（最後に変更されたもの）として、操作画面情報に記憶されているため、本ステップにおいても図８に示す自動運転画面２９と同じ画面が表示される。
【００４０】
次に、演算制御部５は、操作画面の表示回数をカウントする（ステップＳ１１）。本ステップは、上記で説明したステップＳ１１と同様である。具体的には、演算制御部５は、記憶部４における上記の「ビスケット１」のファイル内にある操作画面情報の一部として記憶されている自動運転画面の表示回数データに１を加える。
【００４１】
その後、ユーザは計量機器本体６の運転操作を行ってそのまま終了するか（ステップＳ１１、Ｓ１３でＮＯ、Ｓ１４でＹＥＳの順で進んだ場合）、または、他の操作画面に切り替えて他の運転操作を行う（ステップＳ１１、Ｓ１２でＹＥＳ、Ｓ７の順で進んだ場合）。操作画面の切り替え方法は、上述したとおりである。最後にユーザによる終了操作（ステップＳ１４でＹＥＳ）で一連の作動は終了する。以上が、従来の生産品種の場合における、運転操作装置１の作動及び操作方法である。
【００４２】
以上のように、本実形態に係る運転操作装置１によれば、同じユーザ名で同じ生産品種名を対象として再度の運転操作を行う場合には、メインメニュー画面１８Ａ〜１８Ｃが表示されずに、はじめから表示回数の多い運転画面が表示されることになる。そのため、運転画面の選択作業を省略することができ、ユーザの作業を簡略化することができる。よって、本実形態に係る運転操作装置１によれば、ユーザが効率良く運転操作を行うことができる。
【００４３】
なお、以上では、メインメニュー画面１８Ａ〜１８Ｃの表示回数をカウントしない場合について説明したが、メインメニュー画面１８Ａ〜１８Ｃの表示回数もカウントするようにしても良い。
【００４４】
また、以上では、各操作画面の表示回数をカウントすることで、操作画面の使用頻度を算出したが、他の方法によって使用頻度を算出するようにしてもよい。例えば、各操作画面の総表示時間を算出したり、各操作画面におけるユーザのタッチ回数をカウントしたりするようにしても良い。
【００４５】
また、以上では、使用頻度に基づいて初期画面が選択されているが、初期画面となる操作画面を各ユーザが設定することで、操作画面データに登録することができ、このデータに基づいて初期画面が選択されるようにしてもよい。
【００４６】
また、以上では、従来の生産品種を対象として運転操作するときメインメニュー画面１８Ａ〜１８Ｃを省略する場合について説明したが、実質的に不要な設定入力画面（複数ある場合も含む）がはじめに表示されるような場合には、その画面を省略するようにしてもよい。
【産業上の利用可能性】
【００４７】
本発明の運転操作装置は、組合せ秤の運転操作装置等として有用である。
【図面の簡単な説明】
【００４８】
【図１】本発明の実施形態に係る運転操作装置のブロック図である。
【図２】本発明の実施形態に係るフローチャート図である。
【図３】本発明の実施形態に係るログイン画面を示した図である。
【図４】本発明の実施形態に係る生産品種リスト画面を示した図である。
【図５】本発明の実施形態に係るメインメニュー画面を示した図である。
【図６】本発明の実施形態に係るメインメニュー画面を示した図である。
【図７】本発明の実施形態に係るメインメニュー画面を示した図である。
【図８】本発明の実施形態に係る自動運転画面を示した図である。
【図９】本発明の実施形態に係る生産品種リスト画面を示した図である。
【符号の説明】
【００４９】
１  運転操作装置
２  表示部
３  入力部
４  記憶部
５  演算制御部
６  計量機器本体
１４  生産品種リスト画面
１４Ａ  生産品種リスト画面
１８Ａ〜１８Ｃ  メインメニュー画面
２９  自動運転画面
【図１】
2009271771.tif 000003
【図２】
2009271771.tif 000004
【図３】
2009271771.tif 000005
【図４】
2009271771.tif 000006
【図５】
2009271771.tif 000007
【図６】
2009271771.tif 000008
【図７】
2009271771.tif 000009
【図８】
2009271771.tif 000010
【図９】
2009271771.tif 000011